(57)【要約】  【課題】  簡素な構成でもって、ハウリングを自動的に抑制でき、高い音質を提供できる音量調整装置を提供する。  【解決手段】  音量調整部２０は、音量操作子４４の操作量に応じて音量を調整する。ハウリング検出部５０は、音響フィードバックによりハウリングの発生を検出する。ハウリング抑制制御部５２は、ハウリングが検出されたときに、前記音量調整手段に対する音量制御によってハウリングを抑制する。音量調整装置１０にてハウリングが検出され、また、音量調整装置１０自身の音量調整部２０の音量制御によってハウリングが抑制される。【選択図】  図１
2005341129.tif 000002
【特許請求の範囲】
【請求項１】
音量操作子の操作量に応じて音量を調整する音量調整手段と、
ハウリングの発生を検出するハウリング検出手段と、
前記ハウリングが検出されたときに、前記音量調整手段に対する音量制御によって前記ハウリングを抑制するハウリング抑制制御手段と、
を備えたことを特徴とする音量調整装置。
【請求項２】
前記ハウリング抑制制御手段は、前記ハウリングを抑制するために、前記音量調整手段の複数の入力チャネルのミックス後の音量を調整することを特徴とする請求項１に記載の音量調整装置。
【請求項３】
前記ハウリング抑制制御手段は、前記ハウリングを抑制するために、ミックス前の各入力チャネルの音量を調整することを特徴とする請求項１に記載の音量調整装置。
【請求項４】
前記ハウリング抑制制御手段は、前記ハウリングが検出されたとき、ハウリング発生音量に応じた音量制限値を設定し、前記音量制限値を上回る音量増大操作を無視するように前記音量調整手段を制御することを特徴とする請求項１ないし３のいずれかに記載の音量調整装置。
【請求項５】
前記ハウリング抑制制御手段は、前記ハウリングのために音量を抑制してから所定の抑制継続時間が経過したときに抑制状態から非抑制状態に復帰する復帰処理を行うことを特徴とする請求項１ないし４のいずれかに記載の音量調整装置。
【請求項６】
外部のアナログ音量操作子と接続され、前記アナログ音量操作子から音量を制御するための制御入力信号を入力する入力端子と、前記制御入力信号をデジタル信号に変換するＡＤコンバータとを備えたことを特徴とする請求項１ないし５のいずれかに記載の音量調整装置。
【請求項７】
前記ハウリング抑制制御手段は、前記ハウリングの発生を回避できる上限音量を設定する上限音量設定モードを設定し、前記上限音量設定モードでは、前記音量調整手段の音量が増大したときに前記ハウリングが検出されるハウリング発生音量を求め、前記ハウリング発生音量に対して所定の余裕幅をもった上限音量を設定することを特徴とする請求項１ないし６のいずれかに記載の音量調整装置。
【発明の詳細な説明】
【技術分野】
【０００１】
本発明は、ハウリング抑制機能を備えた音量調整装置に関するものである。
【背景技術】
【０００２】
従来、ミキサ等の音量調整装置は、周知のように、複数の入力チャネルおよび出力チャネルを有しており、それらチャネルの音量を調整する複数の音量調整器を備えている。コンサート会場などでハウリングを確実に抑制するためには、音量調整装置が、別体のハウリング抑制装置（ハウリングサプレッサ）と組み合わされる。
【０００３】
図９は、従来の音量調整装置とハウリング抑制装置を組み合わせたシステムの構成例を示している。音量調整装置１００は、複数の入力系統のそれぞれに入力側音量調整器１０２を有し、また、複数の出力系統のそれぞれに出力側音量調整器１０４を有している。そして、入力側音量調整器１０２と出力側音量調整器１０４の間に加算器１０６が設けられている。複数のマイク１５０の音信号は入力端子１０８から入力され、入力側音量調整器１０２で各々の音量が調整される。そして、入力音信号が加算器１０６で加算された後、複数の出力チャネルに分配される。そして、出力側音量調整器１０４で音量が調整された後、音信号は出力端子１１０から出力される。
【０００４】
ハウリング抑制装置１２０は、入力端子１２２と出力端子１２４を有しており、入力端子１２２は音量調整装置１００の出力端子１１０に接続され、出力端子１２４はアンプ１６０を経てスピーカ１７０に接続される。入力端子１２２と出力端子１２４の間には、ハウリング検出ボリュウム１２６およびフィルタ１２８が備えられている。また、ハウリング抑制装置１２０には、ハウリング検出部１３０と制御回路１３２が設けられており、制御回路１３２はＣＰＵで構成されている。
【０００５】
ハウリング抑制装置１２０では、ハウリング検出ボリュウム１２０が音量を増大していく。そして、音量増大中に、入力音信号がハウリング検出部１３０に供給される。ハウリング検出部１３０は、入力音信号に対してＦＦＴによる周波数分析処理を行い、ハウリング周波数を検出する。ハウリング周波数は、ハウリングが発生する周波数である。ハウリングには、単一のピーク周波数が成長する傾向があることが知られている。したがって、周波数分析によってハウリング周波数を検出できる。ハウリング周波数の情報は制御回路１３２に供給される。制御回路１３２は、ハウリング周波数の情報に基づいてフィルタ１２８の周波数特性を設定する。
【０００６】
フィルタ１２８はノッチフィルタである。ノッチフィルタは、音楽信号への影響が比較的小さい。ノッチフィルタの周波数特性が、ハウリング周波数の信号を通さないように設定される。この周波数設定に従って、制御回路１３２がフィルタ１２８を制御する。
【０００７】
フィルタ１２８は、制御回路１３２に指示される周波数の信号を通さないように動作する。このフィルタ処理が、音量調整器１００から供給される音信号に施され、これによりハウリングが抑制される。
【０００８】
以上に、従来例のハウリング抑制機能を説明した。このようなハウリング抑制技術は例えば特許文献１に開示されている。
【０００９】
また、従来の別のハウリング抑制方法としては、ハウリング抑制装置１２０を使わない場合には、ユーザが音量調整装置１００を手動で操作して、ハウリングが発生しない最適レベルになるように音量を調整している。
【特許文献１】特開平５−２６８１２０号公報（第３−４ページ、図１）
【発明の開示】
【発明が解決しようとする課題】
【００１０】
しかしながら、従来は、音量調整装置と別体のハウリング抑制装置のノッチフィルタによってハウリングを抑制しており、ノッチフィルタは、比較的小さいながらも音質への影響を及ぼす要因になり、例えば、複数の周波数でハウリングが発生したときに音楽信号への影響が大きくなるといった問題があった。
【００１１】
また、音量調整装置と別体のハウリング抑制装置を設けるために構成が複雑かつ大規模であるという問題もあった。
【００１２】
また、ハウリング抑制装置を使わない場合には、ハウリングの発生を避けるためには操作技術の熟練が必要であり、操作経験の少ないユーザにとってはハウリング調整は容易でないという問題もあった。
【００１３】
本発明は、上記課題を解決するためになされたものであり、その目的は、ハウリングを自動的に抑制でき、高音質で簡素な構造の音量調整装置を提供することにある。
【課題を解決するための手段】
【００１４】
本発明の音量調整装置は、音量操作子の操作量に応じて音量を調整する音量調整手段と、ハウリングの発生を検出するハウリング検出手段と、前記ハウリングが検出されたときに、前記音量調整手段に対する音量制御によって前記ハウリングを抑制するハウリング抑制制御手段とを備えている。
【００１５】
この構成により、音量調整装置にハウリング検出手段とハウリング抑制制御手段が設けられ、そして、ハウリング抑制制御手段が、音量調整装置自身の音量制御によってハウリングを抑制する。これにより、ハウリング自動抑制機能が音量調整装置に内蔵され、しかも、その構成が簡素である。また、音量調整による抑制なので、ハウリングを抑制しても音質は維持される。したがって、ハウリングを自動的に抑制でき、高音質で簡素な構造の音量調整装置を提供できる。
【００１６】
また、本発明の音量調整装置において、前記ハウリング抑制制御手段は、前記ハウリングを抑制するために、前記音量調整手段の複数の入力チャネルのミックス後の音量を調整する。この構成により、複数の音入力に対してハウリング抑制効果を発揮でき、ハウリング抑制処理を効果的に行える。
【００１７】
また、本発明の音量調整装置において、前記ハウリング抑制制御手段は、前記ハウリングを抑制するために、ミックス前の各入力チャネルの音量を調整する。この構成により、入力チャネルごとのハウリングを抑制でき、細かな抑制制御ができる。例えば、ハウリングが発生したチャネルだけに抑制処理を施すことができ、これにより、全体的な音の状態の変化を抑えられる。
【００１８】
また、本発明の音量調整装置において、前記ハウリング抑制制御手段は、前記ハウリングが検出されたとき、ハウリング発生音量に応じた音量制限値を設定し、前記音量制限値を上回る音量増大操作を無視するように前記音量調整手段を制御する。
【００１９】
この構成により、音量操作子が過度に大音量側に動かされたときでも効果的にハウリングを抑制できる。例えば、操作者がフェーダー操作子を増大側に動かしていったときでも、音量制限値以上に音量を上げる操作が無視され、ハウリング抑制状態が好適に維持される。
【００２０】
また、本発明の音量調整装置において、前記ハウリング抑制制御手段は、前記ハウリングのために音量を抑制してから所定の抑制継続時間が経過したときに抑制状態から非抑制状態に復帰する復帰処理を行う。この構成により、過渡的なハウリングを好適に抑制できる。
【００２１】
また、補発明の音量調整装置は、外部のアナログ音量操作子と接続され、前記アナログ音量操作子から音量を制御するための制御入力信号を入力する入力端子と、前記制御入力信号をデジタル信号に変換するＡＤコンバータとを備えている。
【００２２】
この構成により、遠隔操作等で外部から音量を調整するときでもハウリング発生を効果的に防ぐことができる。
【００２３】
また、本発明の音量調整装置において、前記ハウリング抑制制御手段は、前記ハウリングの発生を回避できる上限音量を設定する上限音量設定モードを設定し、前記上限音量設定モードでは、前記音量調整手段の音量が増大したときに前記ハウリングが検出されるハウリング発生音量を求め、前記ハウリング発生音量に対して所定の余裕幅をもった上限音量を設定する。
【００２４】
この構成により、ハウリングが発生しないような上限音量をあらかじめ設定しておくので、ハウリングを確実に防止できる。この上限設定は、例えば、コンサート会場において、開演前の現場調整時の作業として行われる。上限音量設定モードでは、好ましくは、音量調整機能を利用して音量が自動的に増大される。
【発明の効果】
【００２５】
本発明は、音量調整装置にてハウリングを検出し、また、音量調整装置自身の音量調整手段の音量制御によってハウリングを抑制するように構成されているので、簡素な構成でもって、ハウリングを自動的に抑制でき、高い音質を提供できるという効果を有する音量調整装置を提供することができるものである。
【発明を実施するための最良の形態】
【００２６】
以下、本発明の実施の形態の音量調整装置について、図面を用いて説明する。
【００２７】
本発明の第１の実施の形態の音量調整装置を図１に示す。図１において、音量調整装置１０は、音量調整部２０と、音量調整部２０を制御する制御部４０を備えている。
【００２８】
音量調整部２０は、２本の入力チャネルと１本の出力チャネルを備えている。そして、２本の入力チャネルには入力側音声調整器２２、２４が設けられており、出力チャネルには出力側音量調整器２６が設けられており、入力側音量調整器２２、２４と出力側音量調整器２６の間に加算器２８が設けられている。
【００２９】
上記の音量調整部２０は、ＤＳＰ（Ｄｉｇｉｔａｌ  Ｓｉｇｎａｌ  Ｐｒｏｃｅｓｓｏｒ、以下同じ）で構成されている。したがって、実際には、複数の音量調整器の回路機能が、ＤＳＰの信号処理によって実現される。また、図１の例では、２本の入力チャネルと１本の出力チャネルが示されているが、実際には、同様の構成を有するより多くの入力系統および出力系統が設けられてよいことはもちろんである。
【００３０】
制御部４０は、ＣＰＵで構成されており、ＤＳＰである音量調整部２０を制御する。制御部４０は、図示されないが、音量調整部２０の各構成を個別に制御する。制御部４０は、ＡＤコンバータ４２を介して音量操作子４４に接続されている。音量操作子４４は、操作量を示す信号をＡＤコンバータ４２に供給する。例えば、音量操作子４４はフェーダー操作子であり、フェーダー移動量の信号を出力する。また、音量操作子４４はボリュウムタイプであり、ボリュウム回転角の信号を出力してもよい。図示されないが、入出力チャネル数などに応じた複数の音量操作子４４が設けられている。
【００３１】
次に、ハウリング抑制のための構成について説明すると、音量調整装置１０は、図示のように、ハウリング検出部５０とハウリング抑制制御部５２とを備えている。
【００３２】
ハウリング検出部５０には、出力チャネルの音信号、すなわち、加算器２８の後の音信号が供給される。ハウリング検出部５０は、音信号に対してＦＦＴによる周波数分析処理を行い、周波数の特徴からハウリングの発生を検出する。既に説明したとおり、ハウリングには、単一のピーク周波数が成長する傾向があることが知られている。したがって、周波数分析によってハウリングの発生が検出される。
【００３３】
ハウリング検出部５０は、上記のようにＦＦＴ処理を行う構成であり、ＤＳＰによって構成されている。ハウリング検出部５０は、音量調整部２０と同じＤＳＰで構成されている。より詳細には、ハウリング検出部５０は、ＤＳＰとＣＰＵ（制御部４０を構成するＣＰＵ）によって構成される。ＤＳＰで検出された周波数がＣＰＵで処理され、周波数から上記のようにしてハウリングが発生したか否かが判断される。
【００３４】
ハウリング抑制制御部５２は、制御部４０に設けられており、ハウリング検出部５０の検出結果に基づき、制御部４０の音量調整機能を利用して、音量調整部２０の音量を下げる制御を行うことでハウリングを抑制する。本実施の形態では、ハウリング抑制の制御対象が、出力側音量調整器２６である。
【００３５】
ここで、ハウリング発生時の音量をハウリング発生音量という。ハウリング抑制制御部５２は、ハウリング発生音量に応じた音量制限値を設定する。制限値設定のため、ハウリング抑制制御部５２は、ハウリング発生音量から所定の低減幅ずつ音量を下げるように出力側音量調整器２６を制御し、ハウリングがなくなる音量を求め、求めた音量を音量制限値に設定する。本実施の形態において、低減幅は、０．５ｄＢに設定されている。そして、ハウリング抑制制御部５２は、音量制限値をメモリに記憶し、音量制限値を上回ることがないように出力側音量調整器２６を制御する。
【００３６】
また、ハウリング抑制制御部５２は、音量制限値を設定してからの経過時間を計測し、所定の抑制継続時間が経過すると、ハウリング抑制状態から非抑制状態に復帰する復帰処理を行うように構成されている。音量制限値を用いた制限が解除され、制御部４０が、音量操作子４４の操作量に従った通常の音量制御状態に戻る。
【００３７】
その他、音量調整装置１０は、図示のように、入力端子６０、６２および出力端子６４を備えており、入力端子６０、６２にマイク等が接続され、出力端子６４にスピーカが接続される。
【００３８】
以上のように構成された音量調整装置１０の動作を説明する。まず、音量調整装置１０の一般的な音量調整動作について説明する。音量操作子４４が操作者により操作されると、操作量の信号がＡＤコンバータ４２に入力され、デジタル信号に変換される。そして、デジタル形式の操作量の信号が制御部４０に供給される。
【００３９】
制御部４０は、図示されない調整特性テーブル記憶部に記憶された調整特性テーブルを参照して、操作量に対応する音量を求める。調整特性テーブルは、操作量と音量の関係を記憶している。制御部４０は、調整特性テーブルから得られた音量に従って音量調整器を制御する。すなわち、目標の音量の音が発生するように、ＤＳＰの音量調整機能が制御される。入力端子６０、６２から入力された音信号は、入力側音量調整器２２、２４の音量調整処理を受け、加算器２８に供給される。さらに、音信号は、出力側音量調整器２６の音量調整処理を受け、出力端子６４から出力される。
【００４０】
次に、図２を参照し、音量調整装置１０によるハウリング抑制の動作について説明する。ハウリング検出部５０には、加算器２８を経た音信号が供給されている。ハウリング検出部５０は、前述のように、ＦＦＴ処理によってハウリングの発生を検出する（Ｓ１０）。ハウリング発生は、ハウリング抑制制御部５２に伝えられる。ハウリングが発生すると、ハウリング抑制制御部５２は、ハウリングを抑制するための音量制限値を設定する（Ｓ１２）。ここでは、前述のように、ハウリング発生音量から所定の低減幅（０．５ｄＢ）だけ音量が下げられ、ハウリングがなくなったか否かが判定される。この処理が繰り返され、ハウリングがなくなったときの音量が、音量制限値として求められる。そして、ハウリング抑制制御部５２は、音量制限値を上回らないように出力側音量調整器２６を制御する（Ｓ１４）。
【００４１】
ハウリング抑制制御部５２は、音量制限値を設定してから抑制継続時間が経過したか否かを判定し（Ｓ１６）、抑制継続時間が経過していなければ、抑制状態の制御（Ｓ１４）を継続する。ハウリング抑制制御部５２は、抑制継続時間が経過すると、音量制限を解除し、抑制制御を終了する（Ｓ１８）。
【００４２】
図３は、上記のハウリング抑制処理の例を示している。図３において、横軸は時間であり、縦軸は、操作量および音量である。ユーザは、音量が増大するように音量操作子４４を操作している。時点ｔ１にて、音量がＡのときにハウリングが発生したとする。このとき、ハウリング抑制制御部５２は、音量制限値Ｂを設定する。前述のように、音量制限値Ｂは、ハウリング発生音量Ａから０．５ｄＢずつ段階的に音量を下げたときにハウリングが止まる音量である。そして、ハウリング抑制制御部５２は、音量制限値Ｂ以下になるように音量を制御する。これにより、図示のように、操作者の音量増大操作が無視される。
【００４３】
なお、図３では、音量操作子４４の操作時にハウリングが抑制された。これに対して、音量操作子４４が操作されていないときにも同様の処理によりハウリングが抑制される。
【００４４】
以上に説明したように、本発明の第１の実施の形態によれば、音量調整装置１０にハウリング検出部５０とハウリング抑制制御部５２が設けられ、ハウリング検出部５０が音響フィードバックによりハウリングを検出し、また、ハウリング抑制制御部５２が、音量調整装置１０自身の音量制御によってハウリングを抑制する。ハウリング自動抑制機能が音量調整装置に内蔵され、しかも、その構成が簡素である。また、音量調整による抑制なので、ハウリングを抑制しても音質は維持される。したがって、ハウリングを自動的に抑制でき、高音質で簡素な構造の音量調整装置１０を提供できる。
【００４５】
そして、本実施の形態によれば、ハウリング抑制機能が音量調整装置に設けられたことで、専門知識および経験の少ない操作者により音量調整装置が操作されるときでも、音量をハウリングが発生しないレベル内で調整することができ、そして、音響空間に応じて、ハウリングが発生しない範囲の最適なレベルへの自動調整が可能となる。
【００４６】
また、本実施の形態によれば、ハウリング抑制制御部５２が、ハウリングを抑制するために、出力側音量調整器２６を制御しており、すなわち、音量調整部２０の複数の入力チャネルのミックス後の音量を調整する。これにより、複数の音入力に対してハウリング抑制効果を発揮でき、ハウリング処理を効率よく行える。
【００４７】
また、本実施の形態によれば、ハウリング抑制制御５２が、ハウリングが検出されたとき、ハウリング発生音量に応じた音量制限値を設定し、音量制限値を上回る音量増大操作を無視するように音量調整部５２を制御しており、これにより、音量操作子が過度に大音量側に動かされたときでも効果的にハウリングを抑制できる。
【００４８】
また、本実施の形態によれば、ハウリング抑制制御部５２が、ハウリングのために音量を抑制してから所定の抑制継続時間が経過したときに抑制状態から非抑制状態に復帰する復帰処理を行っており、これにより、過渡的なハウリングを好適に抑制できる。
【００４９】
図４は、本発明の第２の実施の形態に係る音量調整装置７０を示している。以下、第１の実施の形態と重複する事項の説明は省略する。
【００５０】
第２の実施の形態の音量調整装置７０では、ＡＤコンバータ７２および制御入力端子７４が追加されている。制御入力端子７４は、外部から音量を制御する制御入力信号を入力するための端子である。制御入力端子７４には、音量操作子７６が接続される。
【００５１】
音量操作子７６は、例えば、フェーダータイプであり、レバーを備えている。音量操作子７６は、ボリュウムタイプであり、回転つまみを備えていてもよい。音量操作子７６は、レバー移動量等の操作量に応じた信号を出力するように構成されている。
【００５２】
以上のように構成された音量調整装置７０の動作を説明する。音量操作子７６がユーザにより操作されると、制御入力信号が、制御入力端子７４を通ってＡＤコンバータ７２に入力され、デジタル信号に変換される。制御入力信号は、操作量を示す信号である。そして、デジタル形式の制御入力信号が制御部４０に供給される。制御部４０は、制御入力信号に従って音量調整部２０を制御する。制御部４０による音量調整部２０の制御は、第１の実施の形態と同様でよい。また、ハウリング抑制処理も第１の実施の形態と同様でよい。音量操作子７６が操作されて、ハウリングが発生したときも、第１の実施の形態と同様のハウリング検出および抑制処理が行われる。
【００５３】
以上に説明したように、本発明の第２の実施の形態によれば、音量調整装置７０が、外部の音量操作子７６と接続され、音量操作子７６を使って操作される。そして、遠隔操作等で外部から音量を調整するときでもハウリング発生を効果的に防ぐことができる。
【００５４】
図５は、本発明の第３の実施の形態に係る音量調整装置８０を示している。以下、第１の実施の形態と重複する事項の説明は省略する。
【００５５】
第３の実施の形態では、音量調整装置８０が、現場調整時に機能するハウリング抑制のための構成を有している。現場調整は、コンサート会場などの場所で音響設備を設置するときに行われる。現場調整では、各種の音響機器の接続および動作などが確認される。
【００５６】
音量調整装置８０では、制御部４０がハウリング抑制制御部８２を備えている。ハウリング抑制制御部８２は、ハウリングの発生を回避できる上限音量を設定する上限音量設定モードを設定するように構成されている。ハウリング抑制制御部８２は、上限音量設定モードでは、音量調整手段の音量を自動的に増大し、ハウリングが検出されるハウリング発生音量を求め、ハウリング発生音量に対して所定の余裕幅をもった上限音量を設定する。
【００５７】
音量調整装置８０には、設定された上限音量を記憶する上限音量記憶部８４が設けられている。また、上限音量設定モードの設定を指示するための上限音量設定ボタン８６が設けられている。
【００５８】
以上のように構成された音量調整装置８０について、図６を用いてその動作を説明する。上述の現場調整時に、操作者により上限音量設定ボタン８６が押されると、ボタン押下げを示す信号が制御部４０に入力される。これにより、制御部４０のハウリング抑制制御部８２が上限音量の設定の指示が受け付ける（Ｓ４０）。上限音量設定が指示されると、ハウリング抑制制御部８２は、上限音量設定モードを設定し（Ｓ４２）、音量調整部２０の出力側音量調整器２６を制御して、音量を自動的に増大していく（Ｓ４４）。ここでは、適当な初期音量から、適当な速度で音量が増大していく。初期音量および音量増大速度は、予め設定され、記憶されている。
【００５９】
ハウリング抑制制御部８２は、音量を増大していきながら、ハウリングが発生したか否かを判定し（Ｓ４６）、ハウリングが発生するまでは音量増大を継続する。ハウリングの発生は、ハウリング検出部５０により検出され、ハウリング抑制制御部８２に伝えられる。ハウリング抑制制御部８２は、ハウリングが発生すると（Ｓ４６、ＹＥＳ）、上限音量を設定する（Ｓ４８）。上限音量は、ハウリング発生音量より所定の余裕幅だけ小さい音量である。上限音量は、例えば、ハウリング発生音量から６ｄＢ下げられる。そして、ハウリング抑制制御部８２は、上限音量記憶部８４に上限音量を格納する（Ｓ５０）。
【００６０】
現場調整の終了後は、上限音量を使って音量が調整される。すなわち、ハウリング抑制制御部８２は、上限音量記憶部８４に記憶されている上限音量を参照し、音量調整部２０の音量が上限音量以下になるように、出力側音量調整器２６を制御する。これにより、好適にハウリングが抑制される。
【００６１】
図７は、上限音量設定モードの処理を示している。図７において、横軸は時間であり、縦軸は、音量である。上限音量設定モード処理では、音量が自動的に増大される。時点ｔ２にて、音量がＣのときにハウリングが発生したとする。このとき、ハウリング抑制制御部８２は、上限音量Ｄ（＝Ｃ−６ｄＢ）を設定する。上限音量はメモリに記憶される。そして、現場調整の後は、ハウリング抑制制御部８２は、上限音量Ｄ以下になるように音量を制御する。これにより、音量Ｄを越える音量増大操作が無視される。
【００６２】
以上に説明したように、本発明の第４の実施の形態の音量調整装置８０によれば、ハウリングが発生しないような上限音量をあらかじめ設定しておくので、ハウリングを確実に防止できる。
【００６３】
なお、上記の第３の実施の形態では、上限音量設定モードにおいて、音量が自動的に増大された。これに対して、音量は、操作者により音量操作子４４を使って手動で増大されてもよい。この場合も、ハウリング検出および上限音量設定が自動で行われる。
【００６４】
図８は、本発明の第４の実施の形態に係る音量調整装置９０を示している。以下、第１の実施の形態と重複する事項の説明は省略する。
【００６５】
第４の実施の形態の音量調整装置９０では、ハウリング検出部９２に、入力チャネルから音信号が供給される。そして、ハウリング検出部９２は、入力チャネルの音信号を用いてハウリングを検出する。
【００６６】
また、ハウリング抑制制御部９４の音量制御の制御対象が、入力側音量調整器２２である。そして、ハウリング抑制制御部９４は、ハウリングを抑制するために、入力側の音量を下げる処理を行う。
【００６７】
図８では、ハウリング検出部９２およびハウリング抑制制御部９４が、一方の入力チャネルのみに関連づけられている。しかし、実際には、ハウリング検出部９２およびハウリング抑制制御部９４は、もう一方の入力チャネルのハウリングも検出および抑制するように構成されている。また、ハウリング検出部９２およびハウリング抑制制御部９４は、図示されない他の入力チャネルのハウリングも検出および抑制するように構成されている。
【００６８】
ハウリング検出部９２およびハウリング抑制制御部９４の動作は、第１の実施の形態と同様である。ただし、図示のように、検出および抑制の対象が、入力側の音信号、すなわち、加算器２８の前の音信号である。そして、ハウリング検出部９２およびハウリング抑制制御部９４は、複数の入力チャネルの処理を個別に行う。すなわち、各入力チャネルのハウリングが検出および抑制される。
【００６９】
以上に説明したように、本発明の第４の実施の形態によれば、ハウリング抑制制御部９４が、ハウリングを抑制するために、ミックス前の各入力チャネルの音量を調整するように構成されており、これにより、入力チャネルごとのハウリングを抑制でき、細かな抑制制御ができる。
【００７０】
なお、第４の実施の形態においても、第２の実施の形態で説明したように、外部の音量操作子が音量調整装置９０に接続されてよい。また、第３の実施の形態で説明したように、音量調整装置９０が、現場調整時に上限音量を設定するように構成されてもよい。
【００７１】
以上に本発明の好適な実施の形態を説明した。しかし、本発明は上述の実施の形態に限定されず、当業者が本発明の範囲内で上述の実施の形態を変形可能なことはもちろんである。
【産業上の利用可能性】
【００７２】
以上のように、本発明は、音量調整装置にてハウリングを検出し、また、音量調整装置自身の音量調整手段の音量制御によってハウリングを抑制するように構成されているので、簡素な構成でもって、ハウリングを自動的に抑制でき、高い音質を提供できるという効果を有する音量調整装置を提供することができるという効果を有し、ミキサ等として有用である。
【図面の簡単な説明】
【００７３】
【図１】本発明の第１の実施の形態における音量調整装置を示す図
【図２】本発明の第１の実施の形態における音量調整装置の動作説明のためのフロー図
【図３】本発明の第１の実施の形態におけるハウリング抑制処理を示す図
【図４】本発明の第２の実施の形態における音量調整装置を示す図
【図５】本発明の第３の実施の形態における音量調整装置を示す図
【図６】本発明の第３の実施の形態における音量調整装置の動作説明のためのフロー図
【図７】本発明の第３の実施の形態におけるハウリング抑制処理を示す図
【図８】本発明の第４の実施の形態における音量調整装置を示す図
【図９】従来の音量調整装置を示す図
【符号の説明】
【００７４】
１０  音量調整装置
２０  音量調整部
２２、２４  入力側音声調整器
２６  出力側音量調整器
２８  加算器
４０  制御部
４２  ＡＤコンバータ
４４  音量操作子
５０  ハウリング検出部
５２  ハウリング抑制制御部
６０、６２  入力端子
６４  出力端子
【図１】
2005341129.tif 000003
【図２】
2005341129.tif 000004
【図３】
2005341129.tif 000005
【図４】
2005341129.tif 000006
【図５】
2005341129.tif 000007
【図６】
2005341129.tif 000008
【図７】
2005341129.tif 000009
【図８】
2005341129.tif 000010
【図９】
2005341129.tif 000011